(57)【要約】【課題】筐体に回転可能に結合されて筐体を部分的に覆う枠体を備える筐体構造において、筐体に枠体を閉じる時の操作力を軽くしながら、筐体に対する枠体の保持力が十分に得られるようにする。【解決手段】筐体１に回転可能に結合されて筐体１を部分的に覆う枠体３を備える筐体構造であって、枠体３の一端面から突出する突出部を有する結合部品３１を備えて、筐体１の一端面に結合部品３１の突出部が係合する受部１１を備える。結合部品３１の突出部は、リング状突出部３３に形成されており、受部１１には、結合部品３１のリング状突出部３３を受け入れるリング状溝１２が形成されている。リング状突出部３３は、内周側が外周側よりも突出する曲面３５に形成されて、リング状突出部３３の内周は、傾斜面３４に形成されている。【選択図】図４
2017156690.tif 000002
【特許請求の範囲】
【請求項１】
筐体に回転可能に結合されて筐体を部分的に覆う枠体を備える筐体構造であって、
前記筐体または前記枠体の一方は、一端面から突出する突出部を有する結合部品を備えて、
前記筐体または前記枠体の他方は、一端面に前記結合部品の突出部が係合する受部を備え、
前記結合部品の前記突出部は、リング状突出部に形成されており、
前記受部には、前記結合部品の前記リング状突出部を受け入れるリング状溝が形成されていることを特徴とする筐体構造。
【請求項２】
前記リング状突出部は、内周側が外周側よりも突出する曲面または傾斜面に形成されていることを特徴とする請求項１に記載の筐体構造。
【請求項３】
前記リング状突出部の内周は、曲面または傾斜面に形成されていることを特徴とする請求項１または２に記載の筐体構造。
【請求項４】
前記リング状溝は、前記筐体または前記枠体の前記他方の一端面に窪ませて形成されていることを特徴とする請求項１から３のいずれか一項に記載の筐体構造。
【請求項５】
前記リング状溝の内周及び外周は、曲面または傾斜面に形成されていることを特徴とする請求項４に記載の筐体構造。
【請求項６】
前記結合部品の前記リング状突出部が前記受部の前記リング状溝に係合することにより、前記筐体と前記枠体が固定状態に保持されることを特徴とする請求項１から５のいずれか一項に記載の筐体構造。
【請求項７】
前記結合部品を、前記筐体または前記枠体の前記一方の一端面から前記リング状突出部が突出する方向に付勢する付勢部品を備えることを特徴とする請求項１から６のいずれか一項に記載の筐体構造。
【請求項８】
前記付勢部品はバネであり、
前記結合部品の前記リング状突出部が、前記筐体または前記枠体の前記他方のエッジ部分に接触すると、前記結合部品は、前記バネによる付勢に抗って前記リング状突出部が前記筐体または前記枠体の前記一方の一端面に没入する方向に移動することを特徴とする請求項７に記載の筐体構造。
【請求項９】
前記筐体は、回転可能に結合される第１のブロックと第２のブロックとを備え、
前記枠体は、前記第１のブロック及び前記第２のブロックを部分的に覆い、且つ前記第１のブロックに回転可能に結合されることを特徴とする請求項１から８のいずれか一項に記載の筐体構造。
【請求項１０】
前記結合部品の前記リング状突出部と前記受部の前記リング状溝の中心は、前記第１ブロックと前記第２のブロックとの回転中心に一致していることを特徴とする請求項９に記載の筐体構造。
【請求項１１】
前記結合部品の前記リング状突出部と前記受部の前記リング状溝とが係合された状態、及び係合されていない状態のいずれの状態においても、前記第１のブロックと前記第２のブロックとが回転可能であることを特徴とする請求項１０に記載の筐体構造。
【請求項１２】
前記第１のブロックは撮像部を備え、
前記第２のブロックは表示部を備えることを特徴とする請求項９から１１のいずれか一項に記載の筐体構造。
【請求項１３】
請求項１から１１のいずれか一項に記載の筐体構造を備えることを特徴とする電子機器。
【請求項１４】
請求項１２に記載の筐体構造を備えることを特徴とする撮像装置。
【発明の詳細な説明】
【技術分野】
【０００１】
本発明は、筐体に回転可能に結合されて筐体を部分的に覆う枠体を備える筐体構造と、その筐体構造を備える電子機器、及び撮像装置に関する。
【背景技術】
【０００２】
カメラの筐体を囲むグリップフレームが当該カメラの筐体にヒンジ軸で取り付けられているカメラがある（特許文献１参照）。
そして、特許文献１のカメラでは、グリップフレームの先端部の中央内側にラッチがバネで押し出される方向に付勢して実装され、グリップフレームを回転させた際に、筐体の端面中央に設けられた受部にラッチが係合することで、グリップフレームと筐体を固定状態に保持する。
【０００３】
特許文献１のカメラは、表示部を有する表示部筐体と撮像部であるレンズを有するレンズ筐体とが中央部で回転可能に結合されて、レンズ筐体と枠体であるグリップフレームとが左右両側部で回転可能に結合されている。
【０００４】
さらに、グリップフレームの先端部内面の中央にラッチが設けられ、表示部筐体の端面中央に受部が設けられている。
【０００５】
図７（ａ）〜（ｃ）は、筐体と枠体が若干開いた状態から表示部筐体１及びレンズ筐体２とグリップフレーム３を閉じていく過程を示すもので、図示のように、ラッチ６は、グリップフレーム３の先端部中央のガイド７内を往復運動でき、バネ８によって付勢されて、グリップフレーム３の先端部内面から一定量突出している。
【０００６】
図７（ａ）に示すように、先ず、ラッチ６が表示部筐体１のエッジに接触する。
この図７（ａ）の状態からグリップフレーム３をさらに閉じると、ラッチ６は表示部筐体１のエッジに押されてガイド７内に引っ込む。
続いて、図７（ｂ）に示すように、ラッチ６が受部９に入り込む直前の状態になる。
次に、図７（ｃ）に示すように、ラッチ６が受部９に入り込んだ状態になる。
【０００７】
このように、ラッチ６がバネ８によって付勢され、受部９に入り込むことによってクリック力が発生し、表示部筐体１にグリップフレーム３を保持できる。
そのクリック力は、バネ８の強さ、及びラッチ６の斜面と運動方向の角度αにより決まり、角度αが小さいほど大きなクリック力を得られる。
【先行技術文献】
【特許文献】
【０００８】
【特許文献１】特開２０１２−１３３０６１号公報
【発明の概要】
【発明が解決しようとする課題】
【０００９】
しかし、角度αが小さいほど図７（ａ）の状態、即ち、ラッチ６の斜面が表示部筐体１のエッジに接触し、グリップフレーム３をさらに閉じる場合の抵抗力が大きくなり、操作性が悪くなる。
一方、図７（ｂ）の角度αが大きいと、図７（ａ）の状態における操作性は良くなるが、クリック力が小さくなり、表示部筐体１にグリップフレーム３を保持できなくなるという問題がある。
【００１０】
本発明の課題は、筐体に回転可能に結合されて筐体を部分的に覆う枠体を備える筐体構造において、筐体に枠体を閉じる時の操作力を軽くしながら、筐体に対する枠体の保持力が十分に得られるようにすることである。
【課題を解決するための手段】
【００１１】
以上の課題を解決するため、本発明は、
筐体に回転可能に結合されて筐体を部分的に覆う枠体を備える筐体構造であって、
前記筐体または前記枠体の一方は、一端面から突出する突出部を有する結合部品を備えて、
前記筐体または前記枠体の他方は、一端面に前記結合部品の突出部が係合する受部を備え、
前記結合部品の前記突出部は、リング状突出部に形成されており、
前記受部には、前記結合部品の前記リング状突出部を受け入れるリング状溝が形成されていることを特徴とする。
【発明の効果】
【００１２】
本発明によれば、筐体に回転可能に結合されて筐体を部分的に覆う枠体を備える筐体構造において、筐体に枠体を閉じる時の操作力を軽くしながら、筐体に対する枠体の保持力が十分に得られる。
【図面の簡単な説明】
【００１３】
【図１】本発明を適用した電子機器の一実施形態の構成を示すもので、カメラの筐体の使用態様例を示した斜視図（ａ）〜（ｃ）である。
【図２】図１の筐体と枠体が若干開いた状態を示す図であって、枠体に設ける結合部品を示した拡大図である。
【図３】図２の反対側から見て筐体に設ける受部を示した図である。
【図４】図２及び図３の状態から筐体と枠体を閉じていく過程を示す拡大断面図で、結合部品のリング状突出部が筐体に当接した状態の図である。
【図５】図４の状態から結合部品のリング状突出部が受部のリング状溝に入り込んだ状態の図である。
【図６】筐体と枠体が閉じた状態を示す平面図（ａ）と、そのリング状溝を有する筐体部分の拡大正面図（ｂ）と、リング状突出部を有する枠体部分の拡大正面図（ｃ）である。
【図７】筐体と枠体が若干開いた状態から筐体と枠体を閉じていく過程を示す断面図で、ラッチが筐体に当接した状態の図（ａ）と、ラッチが受部に入り込む直前の状態の図（ｂ）と、ラッチが受部に入り込んだ状態の図（ｃ）である。
【発明を実施するための形態】
【００１４】
以下、図を参照して本発明を実施するための形態を詳細に説明する。
（実施形態）
図１は本発明を適用した電子機器の一実施形態のカメラの構成を示すもので、図２及び図３は図１の筐体と枠体が若干開いた状態を拡大して示すものであって、１は表示部筐体、２はレンズ筐体、３はグリップフレーム（枠体）、４は表示部、５はレンズ（撮像部）であって、１１は受部、３１は結合部品である。
【００１５】
図示のように、表示部４を有する表示部筐体１と撮像部であるレンズ５を有するレンズ筐体２とが中央部で回転可能に結合されて、レンズ筐体２と枠体であるグリップフレーム３とが左右両側部で回転可能に結合されている。
そして、グリップフレーム３の先端部内面の中央に結合部品３１が組み込まれて、表示部筐体１の端面中央に受部１１が設けられている。
ここで、結合部品３１は、従来のラッチ６よりも大きな形状のものとなっている。
【００１６】
図４及び図５は図２及び図３の状態から表示部筐体１及びレンズ筐体２とグリップフレーム３を閉じていく過程を拡大して示すものであって、７はガイド、８はバネ（付勢部品）である。図示のように、結合部品３１は、ガイド７内を往復運動でき、バネ８によって付勢されて、グリップフレーム３の内面から一定量突出する突出部を有している。
【００１７】
そして、結合部品３１のグリップフレーム３内面からの突出部には、中央に円形の凹部３２が形成されて、この円形の凹部３２の外側にリング状突出部３３に形成されている。
ここで、凹部３２の周囲はロック傾斜面３４となっている。
また、リング状突出部３３は、内周側が外周側よりも突出する所定の大きな曲率半径Ｒによるガイド曲面３５に形成されている。
【００１８】
このように、結合部品３１には、円錐形状のラッチがないため、ユーザーが触っても痛くない。
【００１９】
また、受部１１は、表示部筐体１の端面と面一に組み付けられていて、この受部１１には、結合部品３１のリング状突出部３３を受け入れるリング状溝１２が形成されている。このリング状溝１２は、内周側が傾斜面１３に形成されて、外周側も傾斜面１４に形成されている。
【００２０】
図２及び図３の状態から表示部筐体１及びレンズ筐体２とグリップフレーム３を閉じていく過程において、図４に示すように、結合部品３１のリング状突出部３３外周側のガイド曲面３５が表示部筐体１のエッジに接触する。
【００２１】
図４の状態からグリップフレーム３をさらに閉じると、結合部品３１は、リング状突出部３３外周側のガイド曲面３５が表示部筐体１のエッジに押され、ばね８の付勢に抗ってガイド７内に引っ込む。
この時のグリップフレーム３を閉じる操作力は、バネ８の強さ、及びガイド曲面３５と結合部品３１の運動方向の角度αにより決まり、この角度αを大きくすることで、操作力を軽くできる。
【００２２】
図５は結合部品３１のリング状突出部３３が受部１１のリング状溝１２に入り込んでロックした状態を示す。
このように、リング状突出部３３とリング状溝１２がロックした状態では、ロック傾斜面３４と傾斜面１３が対向するとともに、ガイド曲面３５と傾斜面１４が対向する。
【００２３】
図５において、結合部品３１がロックした時のロック力は、バネ８の強さと、図４に示すように、ロック傾斜面３４と結合部品３１の運動方向の角度βにより決まり、この角度βを小さくすることで、ロック力を強くできる。
【００２４】
このように、レンズ筐体２に対してグリップフレーム３及び表示部筐体１が回動可能なカメラで、グリップフレーム３が表示部筐体１に係合する部分の構造において、結合部品３１に円形凹部３２及びその周囲のリング状突出部３３を設けることにより、グリップフレーム３を閉じる時の操作力を軽くでき、しかも、ロック力を強くできるため、表示部筐体１に対するグリップフレーム３の十分な保持力が得られる。
【００２５】
即ち、結合部品３１のリング状突出部３３外周側のガイド曲面３５とリング状突出部３３内周側の円形凹部３２周囲のロック傾斜面３４を設けることにより、グリップフレーム３を閉じる時のガイド曲面３５を押す操作力と、グリップフレーム３を保持するためのロック傾斜面３４によるクリック力をそれぞれ所望の強さに設定できる。
このため、グリップフレーム３を容易に閉じることができ、また、閉じた状態では十分な保持力が得られる。
【００２６】
そして、結合部品３１のリング状突出部３３のガイド曲面３５は緩やかな曲面形状で、その中央が円形の凹部３２になるため、突起がなく、ユーザーが触れても痛くない。
【００２７】
また、結合部品３１（円形凹部３２及びリング状突出部３３）と受部１１（リング状溝１２）の中心は表示部筐体１とレンズ筐体２との回転中心に一致しており、且つ、円形凹部３２、リング状突出部３３及びリング状溝１２は円形であるため、図６（ａ）〜（ｃ）に示すように、グリップフレーム３が表示部筐体１に係合した状態（結合部品３１のリング状突出部３３が受部１１のリング状溝１２に入り込んでロックした状態）においても、表示部筐体１とレンズ筐体２との回転が円滑に行える。
【００２８】
以上、実施形態のカメラによれば、グリップフレーム３の一端面内面に備える結合部品３１は中央に凹部３２及びその外側のリング状突出部３３を有し、表示部筐体１の一端面に備える受部１１はリング状溝１２しているので、そのリング状溝１２にリング状突出部３３を受け入れて係合保持することができる。
従って、表示部筐体１にグリップフレーム３を閉じる時の操作力を軽くしながら、表示部筐体１に対するグリップフレーム３の保持力が十分に得られる。
【００２９】
（変形例）
以上の実施形態においては、カメラとしたが、本発明はこれに限定されるものではなく、カメラを備える携帯電話など他の電子機器であってもよい。
また、実施形態では、枠体に結合部品を設けて、表示部筐体に受部を設けたが、逆に、表示部筐体に結合部品を設けて、枠体に受部を設けてもよい。
さらに、実施形態では、リング状突出部の外周側を所定の曲率半径Ｒによるガイド曲面としたが、ガイド傾斜面であってもよい。
また、筐体、枠体、結合部品、及び受部の形状等も任意であり、その他、具体的な細部構造等についても適宜に変更可能であることは勿論である。
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
筐体に回転可能に結合されて筐体を部分的に覆う枠体を備える筐体構造であって、
前記筐体または前記枠体の一方は、一端面から突出する突出部を有する結合部品を備えて、
前記筐体または前記枠体の他方は、一端面に前記結合部品の突出部が係合する受部を備え、
前記結合部品の前記突出部は、リング状突出部に形成されており、
前記受部には、前記結合部品の前記リング状突出部を受け入れるリング状溝が形成されていることを特徴とする筐体構造。
＜請求項２＞
前記リング状突出部は、内周側が外周側よりも突出する曲面または傾斜面に形成されていることを特徴とする請求項１に記載の筐体構造。
＜請求項３＞
前記リング状突出部の内周は、曲面または傾斜面に形成されていることを特徴とする請求項１または２に記載の筐体構造。
＜請求項４＞
前記リング状溝は、前記筐体または前記枠体の前記他方の一端面に窪ませて形成されていることを特徴とする請求項１から３のいずれか一項に記載の筐体構造。
＜請求項５＞
前記リング状溝の内周及び外周は、曲面または傾斜面に形成されていることを特徴とする請求項４に記載の筐体構造。
＜請求項６＞
前記結合部品の前記リング状突出部が前記受部の前記リング状溝に係合することにより、前記筐体と前記枠体が固定状態に保持されることを特徴とする請求項１から５のいずれか一項に記載の筐体構造。
＜請求項７＞
前記結合部品を、前記筐体または前記枠体の前記一方の一端面から前記リング状突出部が突出する方向に付勢する付勢部品を備えることを特徴とする請求項１から６のいずれか一項に記載の筐体構造。
＜請求項８＞
前記付勢部品はバネであり、
前記結合部品の前記リング状突出部が、前記筐体または前記枠体の前記他方のエッジ部分に接触すると、前記結合部品は、前記バネによる付勢に抗って前記リング状突出部が前記筐体または前記枠体の前記一方の一端面に没入する方向に移動することを特徴とする請求項７に記載の筐体構造。
＜請求項９＞
前記筐体は、回転可能に結合される第１のブロックと第２のブロックとを備え、
前記枠体は、前記第１のブロック及び前記第２のブロックを部分的に覆い、且つ前記第１のブロックに回転可能に結合されることを特徴とする請求項１から８のいずれか一項に記載の筐体構造。
＜請求項１０＞
前記結合部品の前記リング状突出部と前記受部の前記リング状溝の中心は、前記第１ブロックと前記第２のブロックとの回転中心に一致していることを特徴とする請求項９に記載の筐体構造。
＜請求項１１＞
前記結合部品の前記リング状突出部と前記受部の前記リング状溝とが係合された状態、及び係合されていない状態のいずれの状態においても、前記第１のブロックと前記第２のブロックとが回転可能であることを特徴とする請求項１０に記載の筐体構造。
＜請求項１２＞
前記第１のブロックは撮像部を備え、
前記第２のブロックは表示部を備えることを特徴とする請求項９から１１のいずれか一項に記載の筐体構造。
＜請求項１３＞
請求項１から１１のいずれか一項に記載の筐体構造を備えることを特徴とする電子機器。
＜請求項１４＞
請求項１２に記載の筐体構造を備えることを特徴とする撮像装置。
【符号の説明】
【００３１】
１  筐体（第１のブロック）
２  筐体（第２のブロック）
３  枠体
４  表示部
５  撮像部
７  ガイド
８  バネ（付勢部品）
１１  受部
１２  リング状溝
１３  傾斜面
１４  傾斜面
３１  結合部品
３２  凹部
３３  リング状突出部
３４  ロック傾斜面
３５  ガイド曲面
【図１】
2017156690.tif 000003
【図２】
2017156690.tif 000004
【図３】
2017156690.tif 000005
【図４】
2017156690.tif 000006
【図５】
2017156690.tif 000007
【図６】
2017156690.tif 000008
【図７】
2017156690.tif 000009